【手続補正書】
【提出日】平成20年6月20日(2008.6.20)
【手続補正１】
【補正対象書類名】特許請求の範囲
【補正対象項目名】全文
【補正方法】変更
【補正の内容】
【特許請求の範囲】
【請求項１】
約５ｗ％を超える水溶性を有するポリマー添加剤組成物であって、該組成物は塩を形成することのできる実質的に水に不溶のポリマー添加剤と、対応塩形成種とを含み、該ポリマー添加剤は約１ｗ％未満の水溶性を有するものであって、
前記添加剤が本来、塩基性であり、前記対応塩形成種が本来、酸性であるとき、前記本来、酸性の対応塩形成種がジカルボン酸であり、または前記添加剤が本来、酸性であり、前記対応塩形成種が本来、塩基性であるとき、前記本来、塩基性の対応塩形成種がジアミンであることを特徴とするポリマー添加剤組成物。
【請求項２】
水と水溶性有機化合物の混合物中での溶解性が約５ｗ％を超えるポリマー添加剤組成物であって、該組成物は塩を形成することのできる実質的に水に不溶のポリマー添加剤と、対応塩形成種とを含み、該ポリマー添加剤は約１ｗ％未満の水溶性を有するものであって、
前記添加剤が本来、塩基性であり、前記対を成す塩形成種が本来、酸性であるとき、前記本来、酸性の対応塩形成種がジカルボン酸であり、前記添加剤が本来、酸性であり、前記対応塩形成種が本来、塩基性であるとき、前記本来、塩基性の対応塩形成種がジアミンであることを特徴とするポリマー添加剤組成物。
【請求項３】
請求項１または２に記載の前記組成物を重合プロセスの前または重合プロセスの間に添加することを特徴とする方法。
【請求項４】
請求項１または２に記載の前記組成物を重合プロセスの後に添加することを特徴とする方法。
【手続補正２】
【補正対象書類名】明細書
【補正対象項目名】００９９
【補正方法】変更
【補正の内容】
【００９９】
４４ｐｐｍの消泡剤と共に、所望の量の３０％水性ヘキサメチレンジアミン溶液（最終ポリマーに所望のアミン末端基レベルを与えるために添加した過剰のジアミンの量は、ジアミンは蒸発によりやや失われるため実験により求めた）と共に、攪拌容器に入れたナイロン−６，６塩（ヘキサメチレンジアミンとアジピン酸から調製）の５１．５％水溶液からナイロン−６，６ホモポリマーを調製した。２２．５６部のナイロスタブ（Ｎｙｌｏｓｔａｂ）ＳＥＥＤ、７．４４部のアジピン酸および７０部の脱塩水を含むある量の溶液を添加して、最終ポリマーが等量の１５００ｐｐｍのナイロスタブ（Ｎｙｌｏｓｔａｂ）ＳＥＥＤを含有するようにする。室温から１５５℃まで２．７バールの絶対圧力で加熱することにより、この混合物を蒸発させた。蒸発を８０〜８５％の固体含量で終了した。濃縮したスラリーを不活性ガス（窒素）下でオートクレーブまで移動し、容器に熱を加えて、混合物の温度を上げた。オートクレーブの自己圧は１８．２絶対バールに維持する。２３０℃でおよび１８．２絶対バールで、ある量のチタニア含量の４０％の水分散液を、最終ポリマーが０．８６ｗ％のチタニア含量を含有するのに十分な２０バールの窒素圧力を用いてオートクレーブに注入する。２４５℃で、オートクレーブの圧力を大気圧まで減じ、容器に真空をかけることにより０．５４５絶対バールまでさらに減じ、約３０分間保持する。容器の温度を形成されたポリマーの溶融温度より高く維持し、真空を除去し、乾燥窒素を導入することにより容器圧力を大気圧まで増大する。約２８５℃で４〜５絶対バールの加圧窒素を容器に導入する。過剰圧力によって、ポリマー溶融物がレースの形態で容器開口部から流れる冷却水へと流れる。ポリマーのこれらの冷却レースを細断（粒状化）し、水でさらに冷却する。ポリマーチップ（長さ約４ｍｍ×直径３ｍｍ）を、水から分離し、約６０℃未満の温度まで空気中で乾燥する。得られるナイロン−６，６ホモポリマーの９０％ギ酸中で測定した相対粘度（ＲＶ）は４９．５であった。測定したアミン末端基（ＡＥＧ）は、ポリマー１０００ｋｇ当り４８．１グラム等量であった（滴定により測定し、公知のポリマー標準試料と比べる）。
以下、本明細書に記載の発明につき列記する。
１．  約５ｗ％を超える水溶性を有するポリマー添加剤組成物であって、該組成物は塩を形成することのできる実質的に水に不溶のポリマー添加剤と、対応塩形成種とを含み、該ポリマー添加剤は約１ｗ％未満の水溶性を有するものであって、
前記添加剤が本来、塩基性であり、前記対応塩形成種が本来、酸性であるとき、前記本来、酸性の対応塩形成種がジカルボン酸であり、または前記添加剤が本来、酸性であり、前記対応塩形成種が本来、塩基性であるとき、前記本来、塩基性の対応塩形成種がジアミンであることを特徴とするポリマー添加剤組成物。
２．  水と水溶性有機化合物の混合物中での溶解性が約５ｗ％を超えるポリマー添加剤組成物であって、該組成物は塩を形成することのできる実質的に水に不溶のポリマー添加剤と、対応塩形成種とを含み、該ポリマー添加剤は約１ｗ％未満の水溶性を有するものであって、
前記添加剤が本来、塩基性であり、前記対を成す塩形成種が本来、酸性であるとき、前記本来、酸性の対応塩形成種がジカルボン酸であり、前記添加剤が本来、酸性であり、前記対応塩形成種が本来、塩基性であるとき、前記本来、塩基性の対応塩形成種がジアミンであることを特徴とするポリマー添加剤組成物。
３．  前記１．に記載の組成物が水中にあることを特徴とする溶液。
４．  水と水溶性有機化合物の混合物中にあることを特徴とする前記１．または２．に記載の組成物の溶液。
５．  前記添加剤が本来、塩基性であり、前記対応塩形成種が本来、酸性であり、前記本来、酸性の対応塩が、アジピン酸、テレフタル酸およびイソフタル酸を含む群から選択されることを特徴とする前記１．または２．に記載の組成物。
６．  前記添加剤が本来、酸性であり、前記対応塩形成種が本来、塩基性であり、前記本来、塩基性の対応塩が、ヘキサメチレンジアミン、２−メチルペンタメチレンジアミンおよびｍ−キシリレンジアミンを含む群から選択されることを特徴とする前記１．または２．に記載の組成物。
７．  前記実質的に水に不溶の添加剤がＮ，Ｎ’−ビス（２，２，６，６−テトラメチル−４−ピペリジニル）−１，３−ベンゼンジカルボキサミドであることを特徴とする前記１．または２．に記載の組成物。
８．  前記実質的に水に不溶の添加剤がビス（１，２，２，６，６−ペンタメチル−４−ピペリジニル）セバセートであることを特徴とする前記１．または２．に記載の組成物。
９．  Ｎ，Ｎ’−ビス（２，２，６，６−テトラメチル−４−ピペリジニル）−１，３−ベンゼンジカルボキサミドとアジピン酸との乾燥混合物を含むことを特徴とする前記７．に記載の組成物。
１０．  Ｎ，Ｎ’−ビス（２，２，６，６−テトラメチル−４−ピペリジニル）−１，３−ベンゼンジカルボキサミドとアジピン酸との乾燥塩を含むことを特徴とする前記７．に記載の組成物。
１１．  前記実質的に水に不溶の添加剤が３−（３，５−ジ−ｔ−ブチル−４−ヒドロキシフェニル）プロピオン酸であることを特徴とする前記１．または２．に記載の組成物。
１２．  前記水溶性有機化合物がカプロラクタムであることを特徴とする前記４．に記載の組成物。
１３．  前記１．〜４．のいずれか一項に記載の前記組成物を重合プロセスの前または重合プロセスの間に添加することを特徴とする方法。
１４．  前記１．〜４．のいずれか一項に記載の前記組成物を重合プロセスの後に添加することを特徴とする方法。